(57)【要約】  実施形態は、美容に使用する複合電極パッド及びそれを用いた美容機器に関する。具体的に、このような美容機器などは、皮膚施術に使用する電極パッドの電気タイプ別に対応する異なる位置に光源電極、低周波電極、高周波電極を形成する。したがって、このような電極のそれぞれからユーザー所望の多数の異なる電気治療療法別に刺激を統合的に一括で行うことにより、単一の電極パッドを介して複合的に施術を行うことを特徴とする。これにより、単一の美容機器を介して高周波刺激、低周波刺激、光源を複合的に適用して、脂肪融解及び皮膚弾力の改善のために多数の電気治療療法を独立して又は組み合わせて使用するようにすることにより、施術効果が向上する。【選択図】  図１
2021514725.tif 000002
【特許請求の範囲】
【請求項１】
皮膚施術の際に、予め設定された高周波／低周波／ＬＬＬ電気治療療法のうち、ユーザーのキー操作に応じてユーザー所望の電気治療療法を設定して、ユーザー所望の電気治療療法によって施術が開始するようにするキー信号入力部と、
前記キー信号入力部によって高周波電気治療療法が設定されるとき、対応するＲＦから高周波を発生して高周波による刺激が発生するようにする高周波発生部と、
前記キー信号入力部によって低周波電気治療療法が設定されるとき、対応する中周波から低周波を発生して中周波による刺激が発生するようにする低周波発生部と、
前記キー信号入力部によってＬＬＬ電気治療療法が設定されるとき、対応する光源からＬＬＬを発生して光源による刺激が発生するようにする光発生部と、
皮膚施術の際に、電極パッドにおける多数の異なる電気タイプ別に対応する位置の多数の電極から多数の異なる電気治療療法別に刺激を統合的に一括で行うことにより、複合的に施術する複合電極パッドと、
前記キー信号入力部の電気治療療法の設定時に、前記高周波発生部、前記低周波発生部及び前記光発生部のうちのいずれか一つで刺激を前記複合電極パッドの対応する電気タイプ位置の電極から発生して電気治療療法別に複合皮膚施術を行う制御部と、を含むことを特徴とする、
美容に使用する複合電極パッドを用いた美容機器。
【請求項２】
前記複合電極パッドは、
皮膚施術の際に、施術対象に刺激を供給するように基盤となって施術が行われるようにする電極パッド本体と、
前記電極パッド本体の刺激が供給されるときに前記電極パッド本体の中央部位から互いに同じ距離を置いて重畳隔設され、ＬＬＬを入力光源制御信号に基づいて出力して電極パッドの中央部位で光源による刺激を提供する多数の光源電極と、
前記電極パッド本体によって刺激が供給されるときに、前記電極パッド本体の上下側部位から一対ごとに隔設され、低周波を入力低周波制御信号に基づいて出力して電極パッドの上下側部位で中周波による刺激を提供する低周波電極と、
前記電極パッド本体によって刺激が供給されるときに、前記電極パッド本体の左右側部位から一対ごとに隔設され、高周波を入力高周波制御信号に基づいて出力して電極パッドの左右側部位でＲＦによる刺激を提供する高周波電極と、を含むことを特徴とする、
請求項１に記載の美容に使用する複合電極パッドを用いた美容機器。
【請求項３】
前記光源電極は、
前記電極パッド本体の中央部位に設置されるとき、多数の光源電極の相互間からの距離をＬＬＬ自体の有効加熱面積特性に応じて同一に設定して、電極パッドの中央部位のＬＤ光源による刺激が有効刺激となり、
前記低周波電極は、
前記電極パッド本体の上下側部位に設置されるときに、電極面積を中周波自体の皮膚接触面抵抗特性に応じて設定して、中周波による刺激が痛みなく効率的な筋刺激となり、
前記高周波電極は、
前記電極パッド本体の左右側部位に設置されるときに、一対から電極間距離をＲＦ自体の組織加熱体積に応じて設定し、電極面積をＲＦ自体の皮膚接触面抵抗特性に応じて設定して、高周波による刺激が痛みなく効率的な筋刺激となることを特徴とする、
請求項２に記載の美容に使用する複合電極パッドを用いた美容機器。
【請求項４】
前記光源電極の距離は、
前記光源電極の距離設定の際に、光源電極の相互間から相互間距離３０ｍｍ以下と有効距離１５ｍｍを設定して、ＬＤ光源による有効刺激となり、
前記低周波電極の電極間距離と電極面積は、
前記低周波電極の電極間距離と電極面積の設定の際に、一対の低周波電極から６〜９ｃｍと８〜１４ｃｍ２を設定して、中周波による痛みなしに効率的な筋刺激となり、
前記高周波電極の電極間距離と電極面積は、
前記高周波電極の電極間距離と電極面積の設定の際に、一対の高周波電極から５ｃｍと３ｃｍ２を設定して、ＲＦによる痛みなしに効率的な筋刺激となることを特徴とする、
請求項３に記載の美容に使用する複合電極パッドを用いた美容機器。
【請求項５】
皮膚施術の際に、予め設定された高周波／低周波／ＬＬＬ電気治療療法のうち、ユーザーのキー操作に応じてユーザー所望の電気治療療法を設定して、ユーザー所望の電気治療療法によって施術が開始するようにする第１ステップと、
前記第１ステップの電気治療療法の設定時に高周波発生部、低周波発生部及び光発生部のうちのいずれか一つで刺激を複合電極パッドの対応する電気タイプ位置の電極から発生させて、電気治療療法別に複合皮膚施術を行う第２ステップと、
前記第２ステップによって刺激が発生するようになるとき、対応するＲＦ、低周波及び高周波による刺激を発生して、電気治療療法別に複合的に施術を行う第３ステップと、を含むことを特徴とする、
美容に使用する複合電極パッドを用いた美容方法。
【請求項６】
前記第２ステップは、
前記低周波による刺激が発生するようになるとき、予め設定された３，９００Ｈｚ〜４,１００Ｈｚの変調中周波を用いたＡＭＦ波動電流から中周波による刺激を発生させて、低周波治療療法の施術を行うようにすることを特徴とする、
請求項５に記載の美容に使用する複合電極パッドを用いた美容方法。
【請求項７】
前記第２ステップは、
前記光源による刺激が発生するようになるとき、予め設定された６００ｎｍ〜７００ｎｍを用いた光源からＬＬＬによる刺激を発生させて、光源治療療法の施術を行うようにすることを特徴とする、
請求項５に記載の美容に使用する複合電極パッドを用いた美容方法。
【発明の詳細な説明】
【技術分野】
【０００１】
本明細書に開示された内容は、皮膚に施術を行う際に、高周波などの電気信号から刺激を人体の皮膚に伝達して施術を行う美容に使用する、美容機器及びその方法に関する。
【背景技術】
【０００２】
本明細書で別に表示されない限り、このセクションで説明される内容は、この出願の請求項に対する従来技術ではなく、このセクションに含まれるとして従来技術と認められるものではない。
【０００３】
一般に、電気治療とは、直流電流、交流電流、脈動電流などの電気（ｅｌｅｃｔｒｉｃｉｔｙ）を利用して病気を診断し治療する医科学の一分野であって、皮膚施術に広く使われている。電気治療は、使用周波数によって高周波治療と低周波治療に区分される。
【０００４】
高周波治療は、高周波電流を生成して人体患部に印加することにより、人体の皮膚の内部で深部熱を発生させるものであって、細胞分裂を活発化させて血液の循環を改善し且つ損傷組織を再生させるなどの効果がある。一方、低周波治療は、低い低周波電流を生成して人体の患部に印加する治療であって、電気刺激による筋肉の収縮及び弛緩で皮膚をマッサージして細胞を活性化させることにより、皮膚の再生力を促進する。
【０００５】
ところが、従来の高周波治療及び低周波治療のためには、それぞれの高周波美容機器及び低周波美容機器を区分して使用しなければならないので、それぞれの装備を備えなければならなかった。さらに、２種の治療療法の中からいずれか１種を選択して施術を受けなければならないので、施術効果の限界性があった。
【０００６】
また、従来の高周波と低周波美容機器は、一つの電極を備えており、面積の広い部位に均一に効果を与えるために電極の刺激部位を移しながら均一に擦らなければならなかった。
【発明の概要】
【発明が解決しようとする課題】
【０００７】
開示された内容は、高周波治療、低周波治療、光源治療を複合的に行う、美容に使用する複合電極パッドを用いた美容機器及びその方法を提供することを目的とする。
【課題を解決するための手段】
【０００８】
実施形態に係る美容に使用する複合電極パッドを用いた美容機器は、皮膚施術に使用する電極パッドの電気タイプ別に対応する異なる位置に光源電極、低周波電極、高周波電極を形成する。
したがって、このような電極のそれぞれからユーザー所望の多数の異なる電気治療療法別に刺激を統合的に一括で行うことにより、単一の電極パッドを介して複合的に施術を行うことを特徴とする。
【０００９】
他の実施形態に係る美容に使用する複合電極パッドを用いた美容方法は、電極パッドにおいて、多数の異なる電気タイプ別に対応する中央位置の光源電極、上下側位置の低周波電極、及び左右側位置の高周波電極の多数の電極からなる複合電極パッドを形成する。
【００１０】
したがって、高周波発生部、低周波発生部及び光発生部で刺激を複合電極パッドの対応する電気タイプ位置の電極から発生して電気治療療法別に複合皮膚施術を行うことを特徴とする。
【発明の効果】
【００１１】
実施形態によれば、単一の美容機器を介して高周波刺激、低周波刺激、光源を複合的に適用して、脂肪融解及び皮膚弾力の改善のために多数の電気治療を独立して又は組み合わせて使用するようにすることにより、施術効果が向上する。
【図面の簡単な説明】
【００１２】
【図１】一実施形態に係る美容に使用する複合電極パッドを示す平面図である。
【図２】図１の複合電極パッドに適用された一実施形態に係る光源電極による刺激を説明するための図である。
【図３】図１の複合電極パッドを用いた一実施形態による美容機器の構成を示すブロック図である。
【図４】一実施形態に係る美容機器を示す斜視図である。
【図５】一実施形態による美容機器の本体を全体的に示す斜視図である。
【図６】一実施形態に係る美容機器のハンドピースを全体的に示す斜視図である。
【図７】一実施形態に係る美容機器の他のハンドピースを全体的に示す斜視図である。
【図８】一実施形態に係る美容に使用する複合電極パッドの動作を順に示すフローチャートである。
【図９】一実施形態に係る美容に使用する複合電極パッドを用いた美容方法を順に示すフローチャートである。
【発明を実施するための形態】
【００１３】
本開示内容の利点、特徴、及びそれらを達成する方法は、添付図面と共に詳細に後述されている実施形態を参照すると明確になる。
【００１４】
しかし、本開示内容は、以下で開示される実施形態に限定されるものではなく、互いに異なる多様な形態で実現でき、単に、本実施形態は、本開示内容の開示を完全たるものにし、本開示内容の属する技術分野における通常の知識を有する者に発明の範疇を完全に知らせるために提供するものであり、本開示内容は、請求項のカテゴリーによって定義されるに過ぎない。明細書全体にわたって、同一の図面符号は同一の構成要素を指す。
【００１５】
本開示内容の実施形態を説明するにあたり、公知の機能または構成についての具体的な説明が本発明の要旨を不要に不明確にするおそれがあると判断された場合は、その詳細な説明を省略する。そして、後述される用語は、本開示内容の実施形態での機能を考慮して定義された用語であって、これは、ユーザー、運用者の意図または慣例などによって異なる。よって、その定義は、本明細書全般にわたった内容に基づいて下されなければならない。
【００１６】
図１は一実施形態に係る美容に使用する複合電極パッドを示す平面図である。
【００１７】
図１に示すように、一実施形態の電極パッドは、電極パッド本体１０１、前記電極パッド本体１０１の中央位置の多数の光源電極１０２、電極パッド本体１０１の上下側位置の低周波電極１０３、及び電極パッド本体の左右側位置の高周波電極１０４を含む。このような場合、一実施形態の電極パッドは、皮膚施術の際に、電極パッド本体１０１の電気タイプ別に対応する異なる位置の光源電極１０２、低周波電極１０３及び高周波電極１０４から電気治療療法別に刺激を統合的に一括で行うことにより、複合的に施術を行う。
【００１８】
前記電極パッド本体１０１は、皮膚施術の際に、施術対象に、例えば女性の皮膚に刺激を供給するように基盤となって施術が行われるようにする。このような場合、前記電極パッド本体１０１は、このように刺激が供給される際に、高周波などの電気信号から刺激を皮膚に伝達するために、一実施形態による多数の電極が形成されるように構成されて施術時の基盤となる。
【００１９】
光源電極１０２は、電極パッド本体１０１の刺激が供給される際に電極パッド本体１０１の中央部位から多数が相互間で同一の距離を置いて隔設され、ＬＬＬを入力光源制御信号に基づいて出力して電極パッドの中央部位で光源の刺激を提供する。付加的に、前記光源電極１０２は、刺激を行う際に、このような電極パッドの中央部位から多数のＬＤ（Ｌａｓｅｒ  Ｄｉｏｄｅ）１０２−ａを備えてＬＬＬを出力するので、刺激が提供される。このような場合、前記多数のＬＤ１０２−ａは、このようにＬＬＬが出力されるとき、ＬＤの横と縦配列形態を持つマトリックス形状からＬＬＬを出力してＬＤによる刺激が皮膚などに有効刺激となるようにする。このような場合、前記ＬＬＬは、低出力レーザー（Ｌｏｗ  Ｌｅｖｅｌ  Ｌａｓｅｒ）であり、一実施形態に係る光源による刺激を提供するとき、６００ｎｍ〜７００ｎｍ、好ましくは６５８ｎｍ、１００ｍｗであって、皮下脂肪層の５ｍｍに作用して光源刺激となるようにする。前記ＬＬＬは、脂肪細胞膜に一時的なポア（Ｐｏｒｅ）を形成して、液化した脂肪細胞が間質に体外排出されるようにする。このようなＬＬＬの原理は、何の損傷もなく皮下脂肪層に透過されるとき、光エネルギーのみ身体の内部に伝達されてコラーゲンリモデリング及び神経再生を促進する。また、このような場合、ＬＬＬの原理は、光エネルギーが脂肪細胞膜にポアを形成して乳化させるので、液化した脂肪液が代謝過程を介して体外に排出されるようにすることである。
【００２０】
低周波電極１０３は、電極パッド本体１０１によって刺激が供給されるとき、電極パッド本体１０１の上下側部位から一対ごとに隔設され、低周波を入力低周波制御信号に基づいて出力して電極パッドの上下側部位で中周波による刺激を提供する。付加的に、このような中周波は、皮膚標識抵抗を解決するために、４，０００Ｈｚの電流を変調させて皮膚抵抗を最小化し、脂肪層までエネルギーを伝達する。このような中周波は、３９００〜４１００Ｈｚ、好ましくは４０００Ｈｚの変調中周波を用いたＡＭＦ（Ａｍｐｌｉｔｕｄｅ  Ｍｏｄｕｌａｔｉｏｎ  Ｆｒｅｑｕｅｎｃｙ  ｃｕｒｒｅｎｔ：振幅変調周波電流）波動電流となるとき、肥満治療と痛み治療に使用し、これにより人体の脳波と類似の波長で感じが柔らかく安全である。さらに付加的に、このような中周波の原理は、筋肉の収縮運動を誘導し、エネルギーを消費させて脂肪を燃焼及び分解するとき、中・低周波から神経細胞を刺激し、筋肉細胞を活性化して理学療法及び痛みの改善を行う。中周波の原理は、筋肉の収縮と弛緩をするとき、電位差によって電解質を移動させて筋力の増加、毛細血管の拡張及び血流量の増加を図り、中性脂肪が脂肪酸とグリセロールに分解し、筋肉運動を介してエネルギーが消費されるので脂肪燃焼を行う。また、中周波の原理は、このような場合、筋収縮による弾力改善を行う。
【００２１】
高周波電極１０４は、電極パッド本体１０１によって刺激が供給されるとき、電極パッド本体１０１の左右側部位から一対ごとに隔設され、高周波を入力高周波制御信号に基づいて出力して電極パッドの左右側部位でＲＦ（Ｒａｄｉｏ  Ｆｒｅｑｕｅｎｃｙ：無線周波数）による刺激を提供する。このようなＲＦは、生体内で発生した熱を深部熱とし、高周波刺激により生体が自ら熱を発するとして生体熱とする。この場合、脂肪細胞は、４１′以上の熱的効果（Ｔｈｅｒｍａｌ  ｅｆｆｅｃｔ）が維持されるときに溶解し始める。
【００２２】
電極パッドは、皮膚施術の際に電極パッド本体１０１の電気タイプ別に対応する異なる位置の光源電極１０２、低周波電極１０３及び高周波電極１０４から電気治療療法別に刺激を統合的に一括で行うことにより、単一の電極パッドで複合皮膚施術を行う。
【実施形態】
【００２３】
図２は図１の複合電極パッドに適用された一実施形態に係る光源電極の刺激を説明するための図である。
【００２４】
図２に示すように、一実施形態に係る光源電極の刺激は、ＬＬＬによる刺激を行う際に、光源電極から有効刺激を発生させて効率的な光源による刺激となる。
【００２５】
ここで、中心部のＬＤ１０２−１、１０２−２、１０２−３、１０２−４は、光源による刺激を行う際に、光源からＬＬＬを発生して皮膚などに照射するのである。このようなＬＤの周辺の仮想線は、このように光源が発生するとき、中心部から光源を伝導して他の部位に拡張するのである。
【００２６】
このため、光源電極は、電極パッド本体の中央部位に設置されるとき、多数の光源電極の相互間からの距離をＬＬＬ自体の有効加熱面積特性に応じて同一に設定して電極パッドの中央部位のＬＤ光源による刺激が有効刺激となる。
【００２７】
このような場合、前記光源電極の距離は、前記光源電極の距離設定の際に、光源電極の相互間から１５ｍｍを、このようなＬＬＬ自体の有効加熱面積特性に応じて設定してＬＤ光源による有効刺激となる。
【００２８】
付加的に、ＬＤ特性は、直進性が強いので、浸透深さは深いが、皮膚の側面加熱範囲が狭くて有効加熱面積照射点を中心に約１５ｍｍとなる。このとき、脂肪融解温度である４０℃以下の区間は、ＬＤの中心点から１５ｍｍ以内である。また、非加熱面積が発生しないように、各ＬＤの最大距離は３０ｍｍを超えないようにする。
【００２９】
このとき、このような有効刺激は、ＬＤ光源による刺激になるとき、室内温度２４℃及びＬＬＬ出力４０ｍＷの状態から刺激を形成して円滑に行われる。
【００３０】
一方、一実施形態に係る低周波電極の刺激は、中周波による刺激を行う際に、低周波電極から有効刺激を発生して痛みなく効率的な筋刺激となる。
【００３１】
このため、前述した低周波電極は、次のとおりに構成される。
【００３２】
つまり、低周波電極は、電極パッド本体の上下部に設置されるとき、一対から電極間の距離を中周波自体の照射区間の特性に応じて設定し、電極面積を中周波自体の皮膚接触面抵抗特性に応じて設定して中周波刺激が痛みなく効率的な筋刺激となる。
【００３３】
このような場合、低周波電極の面積は、面積設定の際に一対の低周波電極からの８〜１４ｃｍ２を人体の中周波自体の特性に応じて設定して中周波の痛みなしに効率的な筋刺激となる。
【００３４】
このとき、電極は、例えば、カテーテルの面積が小さい場合、皮膚接触面の抵抗が大きくなり、皮膚の表面をチクチクさせて痛みを感じる。一方、面積が大きい場合、隙間距離が近づいて筋刺激度が低下する。
【００３５】
このとき、このような有効刺激は、低周波刺激になるとき、室内温度２４℃及び中周波８０レベルの状態から刺激を形成して円滑に行われる。
【００３６】
他方、一実施形態に係る高周波電極の刺激は、ＲＦによる刺激を行うとき、高周波電極から有効刺激を発生して痛みなく効率的な筋刺激となる。
【００３７】
このため、前述した高周波電極は、次のとおりに構成される。
【００３８】
つまり、高周波電極は、電極パッド本体の左右側部位に設置されるとき、一対から電極間の距離をＲＦ自体の組織加熱体積に応じて設定し、電極面積をＲＦ自体の皮膚接触面抵抗特性に応じて設定して、高周波刺激が痛みなく効率的な筋刺激となる。
【００３９】
このような場合、高周波電極の電極間距離と電極面積は、高周波電極の電極間距離と電極面積の設定が行われるときに、一対の高周波電極から５ｃｍと３ｃｍ２を人体のＲＦ自体の刺激特性に応じて設定してＲＦの痛みなしに効率的な筋刺激となる。
【００４０】
また、電極、たとえばＲＦカテーテル間の離隔距離が５ｃｍ以上である場合、供給エネルギーに比べてカテーテル間の組織加熱体積が広くなって目標温度４５℃まで到達するのは難しい。このとき、カテーテルの面積が小さい場合、皮膚接触面の抵抗を大きくして、皮膚の表面（カテーテル接触部）に発熱が起こる。接触部の温度と極間の中心温度が異なる場合、温度センシングの誤差が発生して温度制御が困難である。
【００４１】
このとき、このような有効刺激は、高周波刺激になるとき、室内温度２４℃、ＲＦ８レベル及び施術時間１０分の状態から刺激を形成して円滑に行われる。
【００４２】
このような一実施形態による効率的な刺激を行う際に、前述した光源電極、低周波電極及び高周波電極から各電極の仕様を下記表１乃至表５に示すように得て、実験的にこのような効率の良い刺激などになることが分かる。
【００４３】
具体的に、表１はＬＬＬの相互間の距離とＬＤ中心基準側面の温度との関係を示すものであり、表２は低周波のカテーテル面積と筋肉刺激との関係を示す図であり、表３は低周波のカテーテル間の距離と筋刺激度との関係を示す図である。
【００４４】
表４は高周波のカテーテル面積と温度との関係を示す図であり、表５は高周波のカテーテル距離と温度との関係を示す図である。
【００４５】
まず、表１のように、光源電極の仕様は、測定条件が室内温度２４℃とＬＬＬ出力４０ｍＷに設定されるとき、光源電極から脂肪融解温度４０℃以下の区間でＬＤの中心点から１４ｍｍ以内を得てＬＤ光源刺激が有効刺激となる。
【００４６】
【表１】
2021514725.tif 000003
【００４７】
一方、光源電極の仕様は、測定条件が室内温度２４℃とＬＬＬ出力４０ｍＷに設定されるとき、光源電極から脂肪融解温度４０℃を超えた区間でＬＤの中心点から１５ｍｍ未満の２〜１２ｍｍを得て、ＬＤ光源刺激が有効刺激にならない。また、光源電極の仕様は、測定条件が室内温度２４℃とＬＬＬ出力４０ｍＷに設定されるとき、光源電極から脂肪融解温度４０℃に達していない区間でＬＤの中心点から１５ｍｍ超過の１６〜２２ｍｍを得て、やはり有効刺激にならない。
【００４８】
これに加えて、表２及び表３のように、低周波電極の仕様は、測定条件が室内温度２４℃と中周波８０レベルに設定されるとき、低周波電極からカテーテルの面積が小さい場合、皮膚接触面の抵抗が大きくなり、皮膚の表面をちくちくさせて痛みが感じられる。一方、低周波電極の仕様は、面積が大きい場合、極間の距離が近づいて筋刺激度が低下する。そのため、ＡＭＦ出力は、低周波電極の面積が８００〜１４００ｍｍ２であるとき、低周波電極から痛みなく効率的な筋刺激が行われる（表２参照）。
【００４９】
【表２】
2021514725.tif 000004
【００５０】
一方、ＡＭＦ出力は、低周波電極の面積が８〜１４ｃｍ２よりも小さい１〜６ｃｍ２であるとき、低周波電極から筋刺激はあるが、チクチクの痛みが感じられる。また、ＡＭＦ出力は、低周波電極の面積が８〜１４ｃｍ２よりも大きい１５００ｍｍ２であるとき、低周波電極から筋刺激が落ちる。
【００５１】
また、高周波電極の仕様は、測定条件が室内温度２４℃、ＲＦ８レベル、施術時間１０分に設定されるとき、高周波電極からカテーテルの面積が小さい場合には、高周波電極から皮膚接触面の抵抗が大きくなって皮膚の表面（カテーテル接触部）に発熱が起こる。
【００５２】
また、一方、高周波電極の仕様は、接触部の温度と極間の中心温度が異なる場合、温度センシングの誤差が発生して温度制御が困難である。このため、高周波電極の仕様は、高周波電極の面積が３００ｍｍ２であるとき、高周波電極から痛みなく効率的な筋刺激が行われる（表３参照）。
【００５３】
【表３】
2021514725.tif 000005
【００５４】
また、他の高周波電極の仕様は、上記の条件と同じであるとき、高周波電極のＲＦカテーテル間の離隔距離が５ｃｍ以上である場合、供給エネルギーに比べてカテーテル間の組織加熱体積が広くなって目標温度４５℃まで到達するのは難しい。そのため、他の高周波電極の仕様は、高周波電極のＲＦカテーテル間の離隔距離が５ｃｍである場合、ＲＦ高周波刺激が有効な筋刺激となる（表４参照）。
【００５５】
【表４】
2021514725.tif 000006
【００５６】
図３は図１の複合電極パッドを用いた一実施形態による美容機器の構成を示すブロック図である。
【００５７】
図３に示すように、一実施形態の美容機器は、キー信号入力部３０１、ＲＦの高周波発生部３０２、中周波の低周波発生部３０３、ＬＬＬの光発生部３０４、及び電気タイプ別の位置に電極が形成された複合電極パッド３０５を含む。そのため、一実施形態の美容機器は、このような場合、電気治療療法別に前記複合電極パッド３０５によって複合的に皮膚施術を行う制御部３０６を含む。
【００５８】
前記キー信号入力部３０１は、皮膚手術の際に、予め設定された高周波／低周波／ＬＬＬ電気治療療法のうち、ユーザーのキー操作に応じてユーザー所望の電気治療療法を設定して、ユーザー所望の電気治療療法によって皮膚施術が開始する。
【００５９】
前記高周波発生部３０２は、前記キー信号入力部３０１によって高周波電気治療療法が設定されるとき、対応するＲＦから高周波を発生して高周波による刺激が発生するようにする。
【００６０】
前記低周波発生部３０３は、前記キー信号入力部３０１によって低周波電気治療療法が設定されるとき、対応する中周波から低周波を発生して中周波による刺激が発生するようにする。
【００６１】
前記光発生部３０４は、前記キー信号入力部３０１によってＬＬＬ電気治療療法が設定されるときに、対応する光源からＬＬＬを発生して光源による刺激が発生するようにする。
【００６２】
前記複合電極パッド３０５は、皮膚手術の際に、電極パッドで多数の異なる電気タイプ別に対応する位置の多数の電極から多数の異なる電気治療療法別に刺激を統合的に一括で行うことにより、複合的に皮膚施術を行う。
【００６３】
制御部３０６は、キー信号入力部３０１の治療療法が設定されるときに、高周波発生部３０２、低周波発生部３０３及び光発生部３０４で刺激を複合電極パッド３０５の対応する電気タイプ位置の電極から発生して電気治療療法別に複合皮膚施術を行う。
【００６４】
図４及び図５は図３の美容機器が実際に適用された一実施形態に係る美容機器を示す図である。
【００６５】
具体的に、図４は図３の美容機器が適用された一実施形態による実際の美容機器を示す図であり、図５は図３の美容機器が適用された一実施形態による美容機器の本体を全体的に示す斜視図である。
【００６６】
図４及び図５に示すように、美容機器１００は、本体１０１が皮膚施術を行うときに多数の複合電極パッドごとに対応する充電スタンドから複合電極パッド１０２を多数のユーザーによる個別独立の提供によって使用して多重皮膚施術を行う。
【００６７】
例えば、一実施形態に係る美容機器の本体は、このように多くのユーザーが１人ずつまたは複数人ずつ皮膚施術を行う際に、ハンドピースのボディ標準タイプから有機的な配置構成をして、多くのユーザーが一緒に皮膚施術を行うようにする。
【００６８】
図６及び図７は図５の美容機器の本体に適用された一実施形態に係るハンドピースを全体的に示す斜視図である。
【００６９】
具体的に、図６は高周波と低周波治療を浮き彫りにしたハンドピースであり、図７は光源治療を浮き彫りにしたハンドピースである。
【００７０】
図６及び図７に示すように、一実施形態のハンドピースは、皮膚施術の際に、実際の現場で適用する治療類型から複合電極パッドの電極構成１０２、１０３、１０４を異なるように設定して、多数の異なる治療類型に応じて施術が行われる。
【００７１】
例えば、図６に示すように、一実施形態のハンドピースは、皮膚施術の際に血液循環の改善または組織再生や皮膚再生力の促進などの治療類型から高周波電極１０４と低周波電極１０３を活性化して浮き彫りにして電気による施術が行われる。
【００７２】
または、他の例を挙げて、図７に示すように、一実施形態によるハンドピースは、皮膚施術の際に、脂肪の体外排出などの肥満治療類型から光源電極１０２を活性化する方向に浮き彫りにして光源による施術が行われる。
【００７３】
図８は一実施形態に係る美容に使用する複合電極パッドの動作を順に示すフローチャートである。
【００７４】
図８に示すように、一実施形態に係る美容に使用する複合電極パッドは、まず、電極パッドで美容に使用する電極パッドの電気タイプ別に対応する異なる位置の光源電極、低周波電極及び高周波電極を形成する（Ｓ８０１）。
【００７５】
具体的に、光源電極は、電極パッドによって刺激が供給されるときに、電極パッドの中央部位から多数が相互間で同一の距離を置いて重畳隔設され、ＬＬＬを入力光源制御信号に基づいて出力して電極パッドの中央部位で光源による刺激を提供する。
【００７６】
低周波電極は、電極パッドによって刺激が供給されるとき、電極パッドの上下側部位から一対ごとに隔設され、低周波を入力低周波制御信号に基づいて出力して電極パッドの上下側部位で中周波による刺激を提供する。
【００７７】
また、高周波電極は、電極パッドによって刺激が供給されるとき、電極パッドの左右側部位から一対ごとに隔設され、高周波を入力高周波制御信号に基づいて出力し、電極パッドの左右側部位でＲＦによる刺激を提供する。
【００７８】
その後、このような状態で皮膚施術に使用する多数の異なる電気治療療法のうち、例えば、光源治療療法、低周波治療療法及び高周波治療療法の中から選択的にユーザー所望の少なくとも一つの電気治療療法を設定する（Ｓ８０２）。
【００７９】
そのため、これにより前記電極のそれぞれからユーザー所望の多数の異なる電気治療療法別に刺激を統合的に一括で行うことにより、単一の電極パッドを介して複合的に皮膚施術を行う（Ｓ８０３）。
【００８０】
以上のように、一実施形態は、皮膚施術に使用する電極パッドの電気タイプ別に対応する異なる位置に光源電極、低周波電極及び高周波電極を形成する。
【００８１】
そのため、このような電極のそれぞれからユーザー所望の多数の異なる電気治療療法別に刺激を統合的に一括で行うことにより、単一の電極パッドを介して複合的に皮膚施術を      
【００８２】
したがって、これにより単一の美容機器を介して高周波刺激、低周波刺激、光源を複合的に適用して、脂肪融解及び皮膚弾力の改善のために多数の電気治療療法を独立してまたは組み合わせて使用するようにすることにより、施術効果が向上する。
【００８３】
図９は一実施形態に係る美容に使用する複合電極パッドを用いた美容方法を順に示すフローチャートである。
【００８４】
図９に示すように、一実施形態に係る美容に使用する複合電極パッドを用いた美容方法は、まず、電極パッドにおける多数の異なる電気タイプ別に対応する位置の多数の電極からなる複合電極パッドを形成する（Ｓ９０１）。
【００８５】
具体的に、皮膚手術に使用する電極パッドの電気タイプ別に対応する中央位置の光源電極、上下側位置の低周波電極、及び左右側位置の高周波電極からなる複合電極パッドを形成する。
【００８６】
このような状態で多数の電気治療療法、例えば、予め設定された高周波／低周波／ＬＬＬ電気治療療法のうち、ユーザー所望の電気治療療法を設定する（Ｓ９０２）。
【００８７】
したがって、これにより、高周波発生部、低周波発生部及び光発生部のうちのいずれかで刺激を複合電極パッドの対応する電気タイプ位置の電極から発生して単一の電極パッドを介して電気治療療法別に複合皮膚施術を行う（Ｓ９０３）。
【００８８】
例えば、高周波電気治療療法が設定されるとき、高周波発生部で刺激を複合電極パッドの対応する高周波位置の電極から発生して、このような単一の電極パッドを介して高周波治療療法で皮膚施術を行う。
【００８９】
別の例を挙げると、低周波電気治療療法が設定されるとき、低周波発生部で刺激を複合電極パッドの対応する低周波位置の電極から発生して、このような単一の電極パッドを介して低周波治療療法で皮膚施術を行う。
【００９０】
以上のように、一実施形態は、電極パッドにおいて、多数の異なる電気タイプ別に対応する中央位置の光源電極、上下側位置の低周波電極及び左右側位置の高周波電極の多数の電極からなる複合電極パッドを形成する。
【００９１】
そのため、高周波発生部、低周波発生部及び光発生部で刺激を複合電極パッドの対応する電気タイプ位置の電極から発生して電気治療療法別に複合皮膚施術を行う。
【００９２】
したがって、これにより高周波刺激、低周波刺激、光源を複合的に適用して、脂肪融解及び皮膚弾力の改善のために多数の電気治療療法を独立してまたは組み合わせて使用することにより、施術効果が向上する。
【００９３】
皮膚施術を行う際に、高周波などの電気信号から刺激を人体の皮膚に伝達して施術を行う美容機器に利用可能である。
【図１】
2021514725.tif 000007
【図２】
2021514725.tif 000008
【図３】
2021514725.tif 000009
【図４】
2021514725.tif 000010
【図５】
2021514725.tif 000011
【図６】
2021514725.tif 000012
【図７】
2021514725.tif 000013
【図８】
2021514725.tif 000014
【図９】
2021514725.tif 000015
【手続補正書】
【提出日】令和2年8月24日(2020.8.24)
【手続補正１】
【補正対象書類名】明細書
【補正対象項目名】００２１
【補正方法】変更
【補正の内容】
【００２１】
高周波電極１０４は、電極パッド本体１０１によって刺激が供給されるとき、電極パッド本体１０１の左右側部位から一対ごとに隔設され、高周波を入力高周波制御信号に基づいて出力して電極パッドの左右側部位でＲＦ（Ｒａｄｉｏ  Ｆｒｅｑｕｅｎｃｙ：無線周波数）による刺激を提供する。このようなＲＦは、生体内で発生した熱を深部熱とし、高周波刺激により生体が自ら熱を発するとして生体熱とする。この場合、脂肪細胞は、４１℃以上の熱的効果（Ｔｈｅｒｍａｌ  ｅｆｆｅｃｔ）が維持されるときに溶解し始める。
【手続補正２】
【補正対象書類名】明細書
【補正対象項目名】００５７
【補正方法】変更
【補正の内容】
【００５７】
図３に示すように、一実施形態の美容機器は、キー信号入力部３０１、ＲＦの高周波発生部３０２、中周波の低周波発生部３０３、ＬＬＬの光源発生部３０４、及び電気タイプ別の位置に電極が形成された複合電極パッド１００を含む。そのため、一実施形態の美容機器は、このような場合、電気治療療法別に前記複合電極パッド１００によって複合的に皮膚施術を行う制御部３０５を含む。
【手続補正３】
【補正対象書類名】明細書
【補正対象項目名】００６２
【補正方法】変更
【補正の内容】
【００６２】
前記複合電極パッド１００は、皮膚手術の際に、電極パッドで多数の異なる電気タイプ別に対応する位置の多数の電極から多数の異なる電気治療療法別に刺激を統合的に一括で行うことにより、複合的に皮膚施術を行う。
【手続補正４】
【補正対象書類名】明細書
【補正対象項目名】００６３
【補正方法】変更
【補正の内容】
【００６３】
制御部３０５は、キー信号入力部３０１の治療療法が設定されるときに、高周波発生部３０２、低周波発生部３０３及び光源発生部３０４で刺激を複合電極パッド１００の対応する電気タイプ位置の電極から発生して電気治療療法別に複合皮膚施術を行う。
【手続補正５】
【補正対象書類名】明細書
【補正対象項目名】００６６
【補正方法】変更
【補正の内容】
【００６６】
図４及び図５に示すように、美容機器２００は、本体２０１が皮膚施術を行うときに多数の複合電極パッドごとに対応する充電スタンドから複合電極パッド１００を多数のユーザーによる個別独立の提供によって使用して多重皮膚施術を行う。
【手続補正６】
【補正対象書類名】図面
【補正対象項目名】図４
【補正方法】変更
【補正の内容】
【図４】
2021514725.tif 000016
【手続補正７】
【補正対象書類名】図面
【補正対象項目名】図５
【補正方法】変更
【補正の内容】
【図５】
2021514725.tif 000017
【国際調査報告】
2021514725.tif 000018
2021514725.tif 000019
2021514725.tif 000020
2021514725.tif 000021
2021514725.tif 000022
2021514725.tif 000023